(57)【要約】      （修正有）【課題】特に工事現場などの環境において使用し、白色光または黄色光の光源を自由に切り替えることができる作業灯を提供する。【解決手段】係る作業灯は、ソケット１０と、少なくとも１つの白色光発光ユニット２０と、少なくとも１つの黄色光発光ユニット３０と、カバー４０を有し、そのうち、該白色光発光ユニット２０は、ソケット１０に取り付けられ、該黄色光発光ユニット３０は、ソケット１０に取り付けられ、該カバー４０は、開口をカバーするように、ソケット１０に嵌め込まれ、ソケット１０の内部に白色光と黄色光の二色の異なる光源を備えることから、作業現場の需要に応じて、光の色を自由に切り替えることができる。【選択図】図３
0003208880.tif 000002
【実用新案登録請求の範囲】
【請求項１】
少なくとも１つの装着部及び、該装着部と連通するように一側に形成される開口を備える、ソケットと、
前記ソケットの装着部に取り付けられる、少なくとも１つの白色光発光ユニットと、
前記ソケットの装着部に取り付けられる、少なくとも１つの黄色光発光ユニットと、
前記ソケットの開口をカバーするように該開口に嵌め込まれるカバーとを有することを特徴とする作業灯。
【請求項２】
前記ソケットに１つの装着部が設けられ、該装着部に白色光発光ユニット及び黄色光発光ユニットが設置されることを特徴とする請求項１に記載の作業灯。
【請求項３】
前記装着部の中央に、白色光発光ユニットと黄色光発光ユニットとが対向するように設置されることを特徴とする請求項２に記載の作業灯。
【請求項４】
前記ソケットに、互いに連通しない２つの装着部が設けられ、
前記白色光発光ユニットが一方の装着部に設置されると共に、前記黄色光発光ユニットが他方の装着部に設置されることを特徴とする請求項１に記載の作業灯。
【請求項５】
前記２つの装着部の間に間隔壁が設けられ、
前記白色光発光ユニット及び黄色光発光ユニットが間隔壁の両側に設置されることを特徴とする請求項４に記載の作業灯。
【請求項６】
前記装着部の内側壁に複数の反射板が設けられることを特徴とする請求項１乃至５の何れか１項に記載の作業灯。
【請求項７】
前記白色光発光ユニット及び黄色光発光ユニットがそれぞれ反射板に向かって発光するように設置されることを特徴とする請求項６に記載の作業灯。
【請求項８】
前記白色光発光ユニット及び黄色光発光ユニットがそれぞれカバーに向かって発光するように設置されることを特徴とする請求項１乃至５の何れか１項に記載の作業灯。
【請求項９】
前記カバーにおける、白色光発光ユニット及び黄色光発光ユニットと対応する箇所にそれぞれ集光レンズが取り付けられることを特徴とする請求項１乃至５の何れか１項に記載の作業灯。
【請求項１０】
前記カバーが透光性を備える不透明なランプシェードであることを特徴とする請求項１乃至５の何れか１項に記載の作業灯。
【請求項１１】
前記白色光発光ユニット及び前記黄色光発光ユニットが発光ダイオードであることを特徴とする請求項１乃至５の何れか１項に記載の作業灯。
【考案の詳細な説明】
【技術分野】
【０００１】
本考案は、特に工事現場などの環境で使用し、白色光または黄色光の光源を自由に切り替えることができる作業灯に関するものである。
【背景技術】
【０００２】
作業灯は通常、工事現場などの屋外用の照明設備であり、工事現場の周囲に設置したり、バックホーやクレーンに装着して、夜間や暗闇などの周囲が見え難い環境において照明として使用するものである。また、既存の作業灯では通常、輝度が高く、工事現場の周囲を明るく照らすことができる、高輝度の白色発光ダイオード(LED, Light-emitted Diode)を使用するが、作業現場に霧や砂塵が発生していると、白色光が霧や砂塵の粒子を通過することができず、照明能力が低下してしまう。このように、白色光は、濃霧や砂塵により見通しが悪い環境においては、照明能力が落ちてしまうという欠点がある。
【０００３】
上記の問題を解決するため、本考案では、白色光の作業灯だけではなく、黄色光の作業灯も用意した。この黄色光は、波長が長くて透過性が高いと共に、目に優しく、快適な色であるため、濃霧や大雨などの周囲が見え難い環境にも適用できる。
【考案の概要】
【考案が解決しようとする課題】
【０００４】
しかしながら、二種類の作業灯を用意するのはコストがかかると共に、設置場所も必要となることから、使用上に非常に不便であった。
【課題を解決するための手段】
【０００５】
本考案に係る作業灯は、
少なくとも１つの装着部及び、該装着部と連通するように一側に形成される開口を備える、ソケットと、
前記ソケットの装着部に取り付けられる、少なくとも１つの白色光発光ユニットと、
前記ソケットの装着部に取り付けられる、少なくとも１つの黄色光発光ユニットと、
前記ソケットの開口をカバーするように該開口に嵌め込まれるカバーとを有する。
【０００６】
かかる作業灯において、前記ソケットに１つの装着部が設けられ、該装着部に白色光発光ユニット及び黄色光発光ユニットが設置されることが好ましい。
【０００７】
かかる作業灯において、前記装着部の中央に、白色光発光ユニットと黄色光発光ユニットとが対向するように設置されることが好ましい。
【０００８】
かかる作業灯において、
前記ソケットに、互いに連通しない２つの装着部が設けられ、
前記白色光発光ユニットが一方の装着部に設置されると共に、前記黄色光発光ユニットが他方の装着部に設置されることが好ましい。
【０００９】
かかる作業灯において、
前記２つの装着部の間に間隔壁が設けられ、
前記白色光発光ユニット及び黄色光発光ユニットが間隔壁の両側に設置されることが好ましい。
【００１０】
かかる作業灯において、前記装着部の内側壁に複数の反射板が設けられることが好ましい。
【００１１】
かかる作業灯において、前記白色光発光ユニット及び黄色光発光ユニットがそれぞれ反射板に向かって発光するように設置されることが好ましい。
【００１２】
かかる作業灯において、
前記白色光発光ユニット及び黄色光発光ユニットがそれぞれカバーに向かって発光するように設置されることが好ましい。
【００１３】
かかる作業灯において、前記カバーにおける、白色光発光ユニット及び黄色光発光ユニットと対応する箇所にそれぞれ集光レンズが取り付けられることが好ましい。
【００１４】
かかる作業灯において、前記カバーが透光性を備える不透明なランプシェードであることが好ましい。
【００１５】
かかる作業灯において、前記白色光発光ユニット及び前記黄色光発光ユニットが発光ダイオードであることが好ましい。
【考案の効果】
【００１６】
上述したように、本考案の作業灯には、以下に示すようなメリットを有する。
本考案の作業灯は、高輝度の白色光発光ユニットと、光透過性に優れた黄色光発光ユニットとを備え、光の色を自由に切り替えることができる。例えば、霧のない晴れのような状態にしたい場合には、高輝度である白色光に切り替えれば、作業現場を照らして昼間のように明るくすることができ、一方、霧や砂塵などが濃く周囲が見え難い場合には、波長が長くて透過性に優れる黄色光に切り替えれば、霧または砂塵で遮蔽された作業現場を明るく照らすことができる。故に、使用者が作業現場の状況に応じて適宜光源を自由に切り替えることができることから、わざわざ光色が異なる光源をそれぞれ用意する必要はないので、実用性に優れている。
【図面の簡単な説明】
【００１７】
【図１】本考案に係る作業灯の第一実施例の斜視図である。
【図２】本考案に係る作業灯の第一実施例の部分分解斜視図である。
【図３】本考案に係る作業灯の第一実施例の側面視断面図である。
【図４】本考案に係る作業灯の第一実施例においてランプシェードを省略した場合の平面図である。
【図５】本考案に係る作業灯の第二実施例においてランプシェードを省略した場合の平面図である。
【図６】本考案に係る作業灯の第三実施例の正面図である。
【図７】本考案に係る作業灯の第三実施例の部分分解側面図である。
【考案を実施するための形態】
【００１８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１９】
図１乃至図４に示すように、本考案の作業灯の第一実施例は、ソケット１０と、少なくとも１つの白色光発光ユニット２０と、少なくとも１つの黄色光発光ユニット３０と、カバー４０とを有する。
【００２０】
第一実施例において、前記ソケット１０は、矩形のケースであり、２つの装着部１１及び開口１２を備え、該開口１２は、ソケット１０の一側に形成され、該２つの装着部１１は、凹弧状を呈し、それぞれ開口１２と連通しながら互いに連通しないようにソケット１０の内部に嵌め込まれ、そのうち、一方の装着部１１がソケット１０の上部に、他方の装着部１１がソケット１０の下部に取り付けられ、更に、該各装着部１１の内側壁に複数の反射板１１１が均一に分布するように設けられ、前記装着部１１の内側壁に、複数の反射板１１１により完全被覆される。また、前記２つの装着部１１との間に間隔壁１１２が設けられることにより、２つの装着部１１に区画され、該間隔壁１１２にソケット１０の外部の電源と電気接続する電気回路が設けられる。
【００２１】
前記間隔壁１１２の両側に、少なくとも１つの白色光発光ユニット２０及び少なくとも１つの黄色光発光ユニット３０が設置され、すなわち、該白色光発光ユニット２０が間隔壁１１２の一側の装着部１１に、該黄色光発光ユニット３０が間隔壁１１２の他側の装着部１１に設置されるので、白色光発光ユニット２０と黄色光発光ユニット３０との異なる色の光が同一の装着部１１において発光することはない。
【００２２】
尚、本実施例においては、前記白色光発光ユニット２０が間隔壁１１２の上方に設置されると共に、前記黄色光発光ユニット３０が間隔壁１１２の下方に設置されてもよいが、他の実施例においては、前記白色光発光ユニット２０が間隔壁１１２の下方に設置されると共に、前記黄色光発光ユニット３０が間隔壁１１２の上方に設置されてもよい。
【００２３】
前記白色光発光ユニット２０及び黄色光発光ユニット３０はそれぞれ、間隔壁１１２の電気回路と電気接続して反射板１１１に向かって発光し、反射板１１１に反射した光をソケット１０の外部へ射出することにより、照明効果を得る。尚、本実施例における白色光発光ユニット２０及び黄色光発光ユニット３０は、発光ダイオードであることが好ましいが、他の光源を使用してもよい。
前記カバー４０は、透光性を備える不透明なランプシェードであり、ソケット１０の装着部１１及び開口１２をカバーするようにソケット１０の開口１２に嵌め込まれる。
【００２４】
本考案においては、ソケット１０の内部に白色光と黄色光の二色の異なる光源を備えることから、作業灯を夜間または暗闇などの見通しが悪い場所で使用する時、光の色を自由に切り替え、例えば、霧の発生がなく、見通しのよい場合には、高輝度の白色光に切り替えて作業現場を照らし、霧や砂塵などが濃く、見通しが悪い場合には、波長が長くて透過性に優れた黄色光に切り替えて照らせばよい。このように、本考案の作業灯によれば、同一のソケット１０内に色が異なる二色の光源が設置されていることから、わざわざ光色が異なる２つの作業灯をそれぞれ用意する必要はない。
【００２５】
図５に示すように、本考案の作業灯の第二実施例は、殆ど第一実施例と同一であるが、ソケット１０Ａの内部に１つの装着部１１Ａを備え、少なくとも１つの白色光発光ユニット２０Ａ及び少なくとも１つの黄色光発光ユニット３０Ａが対向するように装着部１１Ａの中央に設置される構成となっている。尚、本実施例においては、白色光発光ユニット２０Ａが上方に向かって取り付けられると共に、黄色光発光ユニット３０Ａが下方に向かって取り付けられるが、他の実施例においては、白色光発光ユニット２０Ａ及び黄色光発光ユニット３０Ａがそれぞれ異なる方向に向かうようにすれば、如何なる方向に向かって取り付けてもよい。
【００２６】
図６及び図７に示すように、本考案の作業灯の第三実施例は、殆ど第一実施例と同一であるが、ソケット１０Ｂが半球形のケースである点において異なる。尚、前記ソケット１０Ｂは他の形状を呈してもよく、前記ソケット１０Ｂの内部に１つの装着部を備え、該装着部の外端、いわゆる、装着部と装着部との接する箇所に装着部をカバーするように回路基板１３Ｂが取り付けられ、また、前記回路基板１３Ｂの法線が装着部の法線と平行するように設けられる。
【００２７】
第三実施例においては、回路基板１３Ｂに複数の白色光発光ユニット２０Ｂ及び複数の黄色光発光ユニット３０Ｂを設置してもよく、或いは１つの白色光発光ユニット２０Ｂ及び１つの黄色光発光ユニット３０Ｂが設置されてもよい。尚、本実施例においては、白色光発光ユニット２０Ｂ及び黄色光発光ユニット３０Ｂの数量に制限はない。
【００２８】
更に、それらの白色光発光ユニット２０Ｂ及び黄色光発光ユニット３０Ｂは均一に回路基板１３Ｂに分布するため、回路基板１３Ｂを外部の電源と電気接続させると、白色光発光ユニット２０Ｂ及び黄色光発光ユニット３０Ｂの点滅を制御することができ、つまり、作業現場によって自由に切り替えることにより、光源を白色光または黄色光のうちの一方のみ使用したり、二色同時に使用したりすることができる。
【００２９】
第三実施例において、カバー４０Ｂの内面に複数の集光レンズ４１Ｂが取り付けられ、該集光レンズ４１Ｂの数量は、回路基板１３Ｂにある白色光発光ユニット２０Ｂと黄色光発光ユニット３０Ｂの総数量と一致する。すなわち、前記カバー４０Ｂにおける、白色光発光ユニット２０Ｂ及び黄色光発光ユニット３０Ｂに対応する箇所にそれぞれ集光レンズ４１Ｂが取り付けられるので、光の集合により輝度を高めることができる。
【００３０】
第三実施例における、白色光発光ユニット２０Ｂ及び黄色光発光ユニット３０Ｂはカバー４０Ｂに向かって取り付けられることから、白色光発光ユニット２０Ｂ及び黄色光発光ユニット３０Ｂの発光方向は第二実施例と異なるので、装着部に反射板１１１は有しない。
また、第三実施例の作業灯は、前記実施例と同様に、色が異なる二色の光源が同一のソケット１０に設置されるので、光色が異なる２つの作業灯を用意する必要はない。
【符号の説明】
【００３１】
１０、１０Ａ、１０Ｂ ソケット
１１、１１Ａ  装着部
１１１ 反射板
１１２ 間隔壁
１２   開口
１３Ｂ 回路基板
２０、２０Ａ、２０Ｂ 白色光発光ユニット
３０、３０Ａ、３０Ｂ 黄色光発光ユニット
４０、４０Ｂ  カバー
４１Ｂ 集光レンズ
【図１】
0003208880.tif 000003
【図２】
0003208880.tif 000004
【図３】
0003208880.tif 000005
【図４】
0003208880.tif 000006
【図５】
0003208880.tif 000007
【図６】
0003208880.tif 000008
【図７】
0003208880.tif 000009